【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
容器（１０）と、
前記容器（１０）の第１の端部に取り付けられ、膨張可能なアコーディオンスタイルの乳首（２０）の形の膨張可能な供給要素と、
前記容器（１０）の第２の端部に取り付けられた取り外し可能な弁（４２）と、を具備する膨張可能な容器システム（１００）であって、
前記膨張可能な乳首（２０）は、前記膨張可能な乳首（２０）の首に配置された、間隙空間（２５）を間に備えたひだ又は折り部（２３）を有し、
前記膨張可能な乳首（２０）は、前記膨張可能な乳首（２０）を、圧縮された安定位置から、増大する間隙空間（２５）及び引き延ばされたひだ又は折り部（２３）を有する膨張位置に延伸するとき、前記膨張可能な容器システム（１００）内の容積を増加するように構成されており、
前記膨張可能な乳首（２０）は、弾性材料で作られており、前記膨張可能な乳首（２０）が膨張状態において、前記膨張可能な乳首（２０）を前記膨張位置から前記圧縮された安定位置に戻すように付勢する反作用圧縮力（Ｆｃ）を生成するように付勢されており、
前記取り外し可能な弁（４２）は、弾性シーリング材で作られた弾性部材の形であり、前記容器（１０）から取り外し可能であり、
前記取り外し可能な弁（４２）は、入口（４３ａ）、通路（４３）、及び第１の出口（４３ｂ）を備え、
前記入口（４３ａ）が、前記容器（１０）へ第１の流体（Ｆ１）が前記通路（４３）を介して流入するのを制御するために、前記容器（１２）の外部から直接に、かつ選択的に遮断及び遮断解除され、
前記第１の出口（４３ｂ）は、前記第１の流体（Ｆ１）が前記容器（１２）に流入するのを許容する前記通路（４３）に関連した一方向の開口として構成されており、
前記第１の流体（Ｆ１）が前記容器（１２）の中に流入することに関連する前記第１の流体（Ｆ１）の第１の流量が、前記容器（１２）の外部から前記入口（４３ａ）が選択的に遮断されることに応じて減少され得る、そして
前記膨張可能な乳首（２０）の第２の出口（２１）を介して前記容器（１０）から流出する第２の流体（Ｆ２）の第２の流量が、前記第１の流体（Ｆ１）が前記容器（１０）に流入することによって制御され得る、膨張可能な容器システム（１００）。
【請求項２】
前記入口の選択的な遮断及び遮断解除、並びに前記膨張可能な乳首（２０）の延長及び収縮は、前記膨張可能な乳首（２０）の前記第２の出口（２１）から流出する前記第２の流体（Ｆ２）の前記第２の流量を制御する、請求項１に記載の膨張可能な容器システム。
【請求項３】
前記入口が遮断され、前記膨張可能な乳首（２０）が延ばされたとき、前記容器（１０）中の圧力が減少され、前記膨張可能な乳首（２０）の前記第２の出口から流出する前記第２の流体（Ｆ２）の前記第２の流量が減少される、請求項２に記載の膨張可能な容器システム。
【請求項４】
前記膨張可能な乳首（２０）を延ばし、前記入口を選択的に遮断解除することによって、前記第１の流体（Ｆ１）が前記取り外し可能な弁（４２）を通って引き入れられ、これにより、前記膨張可能な乳首（２０）が解放されるとき、前記膨張可能な乳首（２０）が非延長状態に向かって戻るように付勢され、前記膨張可能な乳首（２０）を延ばすことによって生ずる反作用付勢力によって生じた圧力の増加が、前記第２の流体（Ｆ２）を前記膨張可能な乳首（２０）の前記第２の出口（２１）から流出させる、請求項１ないし３のいずれか１項に記載の膨張可能な容器システム。
【請求項５】
前記膨張可能な乳首（２０）は、カラー（３０）によって前記容器（１０）の前記第１の端部に取着されている、請求項１ないし４のいずれか１項に記載の膨張可能な容器システム。
【請求項６】
前記取り外し可能な弁（４２）は、前記容器の前記第２の端部に、ロック用突出部により取り付けられている、請求項１ないし５のいずれか１項に記載の膨張可能な容器システム。
【請求項７】
前記取り外し可能な弁（４２）は、前記容器（１０）に取着されている、請求項１ないし６のいずれか１項に記載の膨張可能な容器システム。
【請求項８】
前記容器（１０）のカラー（３０）に取り外し可能に取着されるカバー（７０）をさらに具備し、
前記カバー（７０）は、第１のロック要素と、前記カバーと噛合し、かつ、前記カバーへの取着用取り付け部を形成するように適合された第２のロック要素とを有する、請求項１ないし７のいずれか１項に記載の膨張可能な容器システム。
【請求項９】
前記膨張可能な乳首（２０）が延ばされ、前記取り外し可能な弁（４２）の入口が選択的に遮断、及び遮断解除されたとき、第１の流体（Ｆ１）が前記取り外し可能な弁を通って引き入れられ、
前記膨張可能な乳首（２０）が反対の非延長方向に移動されたとき、前記容器（１０）内の圧力が増加されて、前記第２の流体（Ｆ２）を前記膨張可能な乳首（２０）の前記第２の出口（２１）から流出させる、請求項１ないし８のいずれか１項に記載の膨張可能な容器システム。
【請求項１０】
前記入口（４３ａ）は、前記通路（４３）の第１の端部に配置され、環状フランジを有し、
前記第１の出口は、付勢されて閉じる円錐形出口（４３ｃ）であり、前記通路（４３）の第２の端部に配置され、
前記取り外し可能な弁は、前記容器（１０）の開口の周縁を受けるように適合された首部分（４３ｄ）を備え、前記首部分（４３ｄ）は、前記環状フランジの一部を備えた第１のショルダ（４３ｆ）と、前記円錐形出口（４３ｃ）の一部を備えた第２のショルダ（４３ｅ）とを有する、請求項１ないし９のいずれか１項に記載の膨張可能な容器システム。
【請求項１１】
前記取り外し可能な弁（４２）は、前記容器（１０）の前記第２の端部から取り外し可能であり、
前記膨張可能な乳首（２０）が延長又は収縮し、前記入口が、前記容器（１０）へ前記第１の流体（Ｆ１）が前記通路を介して流入するのを制御するために、前記容器の外部から直接に、かつ選択的に遮断及び遮断解除され、このことが、前記膨張可能な乳首（２０）の前記第２の出口のオリフィス（２１）から流出する前記第２の流体（Ｆ２）の流れを選択的に制御する、請求項１に記載の膨張可能な容器システム。
【請求項１２】
前記膨張可能な乳首（２０）が延ばされ、前記入口が遮断されることに応じて、前記容器（１０）中の圧力が減少され、前記オリフィス（２１）から流出する前記第２の流体（Ｆ２）の流れが減少される、請求項１１に記載の容器システム。
【請求項１３】
前記取り外し可能な弁（４２）の前記入口は、使用者によって手動で遮断され得る、請求項１ないし１２のいずれか１項に記載の容器システム。
【請求項１４】
前記容器（１０）の形が合わせられた首（１０ａ）が、前記容器（１０）の前記第２の端部に隣接して配置されている、請求項１ないし１３のいずれか１項に記載の容器システム。
【請求項１５】
前記入口（４３ａ）は、前記取り外し可能な弁の前記通路（４３）の第１の端部に配置され、環状フランジを有し、
前記第１の出口は、付勢されて閉じる円錐形出口（４３ｃ）であり、前記通路（４３）の第２の端部に配置され、
前記取り外し可能な弁は、前記容器（１０）の開口の周縁を受けるように適合された首部分（４３ｄ）を備え、前記首部分（４３ｄ）は、前記環状フランジの一部を備えた第１のショルダ（４３ｆ）と、前記円錐形出口の一部を備えた第２のショルダ（４３ｅ）とを有する、請求項１１ないし１４のいずれか１項に記載の容器システム。